(57)【要約】【課題】紐を脱着することなく、ハンカチーフとしても巾着としても使用することができ、実用性、携帯性の高いハンカチーフを提供する。【解決手段】ハンカチーフ１は、表地と裏地からなる長方形の布地シート２，２を、裏地同士が対向するように２枚重ね合わせ、三辺を縫着し残りの一辺を開口部５とすることにより、該縫着した三辺のうち開口部５と対向する辺を底辺３とし、残りの二辺を側辺４とする袋状を形成し、開口部５に紐を収容する紐収容部６，６を設け、一端を一方の側辺４に縫着し、他端を他方の側辺４から突出するように紐を収容させている。【選択図】図１
0003176161.tif 000002
【実用新案登録請求の範囲】
【請求項１】
巾着構造を有するハンカチーフにおいて、
表地と裏地からなる長方形の布地シートを、裏地同士が対向するように２枚重ね合わせ、三辺を縫着し残りの一辺を開口部とすることにより、該縫着した三辺のうち開口部と対向する辺を底辺とし、残りの二辺を側辺とする袋状を形成し、
前記開口部に紐を収容する紐収容部を設け、
一端を一方の前記側辺に縫着し、他端を他方の側辺から突出するように紐を前記紐収容部に収容させたことを特徴とするハンカチーフ。
【請求項２】
巾着構造を有するハンカチーフにおいて、
表地と裏地からなる長方形の布地シートを折り畳み、重なり合った二辺を縫着し残りの一辺を開口部とすることにより、該開口部と対向する辺を底辺とし、縫着した二辺を側辺とする袋状を形成し、
前記開口部に紐を収容する紐収容部を設け、
一端を一方の前記側辺に縫着し、他端を他方の側辺から突出するように紐を前記紐収容部に収容させたことを特徴とするハンカチーフ。
【請求項３】
前記紐収容部を、表地と裏地の間に形成したことを特徴とする請求項１又は２記載のハンカチ―フ。
【請求項４】
前記紐収容部を、布地シートを折り返して縫着することにより形成したことを特徴とする請求項１又は２記載のハンカチーフ。
【考案の詳細な説明】
【技術分野】
【０００１】
本考案は、通常はハンカチーフとして使用するが、物品を収納したい場合には巾着としても使用することが可能な巾着構造を有するハンカチーフに関する。
【背景技術】
【０００２】
物品等を収納する袋物が手元にない場合、ハンカチーフのような布製品で物品に包んで持ち運ぶことが一般的に行われている。一方で、包んだ隙間から脱落しやすいような小物等を運ぶ際には、やはり布製品で包むのではなく、巾着のような袋物が便利である。
【０００３】
そこで、ハンカチーフ等の布地の模様の一部として配設された複数の孔に脱着可能な紐を通し、紐により布地を絞ることで巾着構造としている物品収納袋（特許文献１参照。）が提案されている。
【先行技術文献】
【特許文献】
【０００４】
【特許文献１】実開平７−８２５９号公報
【考案の概要】
【考案が解決しようとする課題】
【０００５】
しかしながら、上述の特許文献１記載の物品収納袋では、ハンカチーフとして使用するためには、その都度紐を外さなければならず、作業が面倒なだけでなく、外した紐を別に保管しておかなければならないといった問題があり、実用的なものではなかった。
【０００６】
そこで、本考案は、特に面倒な作業をしなくとも、ハンカチーフとしても巾着としても使用することが可能な実用性、携帯性の高いハンカチーフを提供することを目的としている。
【課題を解決するための手段】
【０００７】
上記の目的を達成するため本考案のハンカチーフは、第１の構成として、巾着構造を有するハンカチーフにおいて、表地と裏地からなる長方形の布地シートを、裏地同士が対向するように２枚重ね合わせ、三辺を縫着し残りの一辺を開口部とすることにより、該縫着した三辺のうち開口部と対向する辺を底辺とし、残りの二辺を側辺とする袋状を形成し、前記開口部に紐を収容する紐収容部を設け、一端を一方の前記側辺に縫着し、他端を他方の側辺から突出するように紐を前記紐収容部に収容させたことを特徴としている。
【０００８】
また、本考案のハンカチーフの第２の構成は、巾着構造を有するハンカチーフにおいて、表地と裏地からなる長方形の布地シートを折り畳み、重なり合った二辺を縫着し残りの一辺を開口部とすることにより、該開口部と対向する辺を底辺とし、縫着した二辺を側辺とする袋状を形成し、前記開口部に紐を収容する紐収容部を設け、一端を一方の前記側辺に縫着し、他端を他方の側辺から突出するように紐を前記紐収容部に収容させたことを特徴としている。
【０００９】
さらに、前記紐収容部を、表地と裏地の間に形成してもよいし、布地シートを折り返して縫着することにより形成してもよい。
【考案の効果】
【００１０】
本考案のハンカチーフによれば、紐の脱着といった作業をすることなく、ハンカチーフとしても通常使用できる上に、小物等を収納したい場合には巾着として使用することも可能となるため、携帯性もよく、実用的である。
【図面の簡単な説明】
【００１１】
【図１】本考案のハンカチーフの第１形態例を示す斜視図である。
【図２】同じくハンカチーフを巾着として使用した状態を示す斜視図である。
【図３】本考案のハンカチーフの第２形態例を示す斜視図である。
【図４】同じくハンカチーフを巾着として使用した状態を示す斜視図である。
【考案を実施するための形態】
【００１２】
以下、本考案の第１形態例を図１及び図２に基づいて説明する。本形態例のハンカチーフ１は、表地と裏地からなる長方形の布地シート２，２を裏地同士が対向するように重ね合わせ、底辺３、側辺４，４をそれぞれ縫着することで、開口部５を形成し、袋状となっている。
【００１３】
前記開口部５近傍の前記布地シート２，２に、表地と裏地の間に紐７，７を収容する紐収容部７，７を形成している。前記紐７，７は、一端を前記側辺４において前記布地シート２，２に縫着され、他端をもう一方の側辺４から突出するように前記紐収容部６，６に収容される。
【００１４】
このように前記ハンカチーフ１を形成することにより、図１に示す状態から折り畳むことでポケット等にしまっておけば、通常はハンカチーフとして使用できるだけでなく、図２に示すように、物品を前記開口部５から収納し、前記紐７，７を引っ張り、前記開口部５を絞ることにより巾着としても使用できる。
【００１５】
図３及び図４は、本考案の第２形態例を示している。この形態例におけるハンカチーフ１１は、表地と裏地からなる長方形の布地シート１２を、底辺１３の部分で折り畳み、重なりあった側辺１４，１４を縫着することで、開口部１５を形成し、袋状となっている。
【００１６】
前記開口部１５の布地シート１２の端部をそれぞれ内側に折り返して縫着することで、その間に紐１７，１７を収容する紐収容部１６，１６を形成している。前記紐１７，１７は、一端を前記側辺１４において前記布地シート２に縫着され、他端をもう一方の側辺１４から突出するように前記紐収容部１６，１６に収容される。
【００１７】
このように前記ハンカチーフ１１を形成することにより、第１形態例と同様に、前記紐１７，１７を脱着したりする作業を特にせずとも、ハンカチーフとして使用できるだけでなく、巾着としても使用することが可能である。
【００１８】
なお、表地には、適宜デザインした模様を付すことによって、ファッション性を高めることも可能である。
【符号の説明】
【００１９】
１，１１…ハンカチーフ、２，１２…布地シート、３，１３…底辺、４，１４…側辺、５，１５…開口部、６，１６…紐収容部、７，１７…紐
【図１】
0003176161.tif 000003
【図２】
0003176161.tif 000004
【図３】
0003176161.tif 000005
【図４】
0003176161.tif 000006